(57)【要約】【課題】  メディアコンテンツの再生制御を、キー操作をすることなく行うことができる携帯端末装置を提供する。【解決手段】  筐体の傾きを検出する傾斜センサ１１０を搭載し、メディアコンテンツを再生する機能を有する携帯端末装置１において、傾斜センサ１１０の検出出力に基づいてメディアコンテンツの再生態様を制御する制御手段１００を有する。【選択図】    図１
2006148773.tif 000002
【特許請求の範囲】
【請求項１】
筐体の傾きを検出する傾斜センサを搭載し、メディアコンテンツを再生する機能を有する携帯端末装置の制御方法において、
前記傾斜センサの検出出力に基づいて前記メディアコンテンツの再生態様を制御することを特徴とする携帯端末装置の制御方法。
【請求項２】
前記傾斜センサの検出出力に基づいて取得した前記携帯端末装置の筐体の傾き角に基づいて前記メディアコンテンツの早送りまたは巻戻しと、チャプタースキップまたはチャプターバックとを区別するように再生制御を行うことを特徴とする請求項１に記載の携帯端末装置の制御方法。
【請求項３】
前記傾斜センサは、磁界の強度を検出して携帯端末装置の方位を求める地磁気センサであることを特徴とする請求項１または２のいずれかに記載の携帯端末装置の制御方法。
【請求項４】
前記メディアコンテンツは、動画または音楽であることを特徴とする請求項１乃至３のいずれかに記載の携帯端末装置の制御方法。
【請求項５】
筐体の傾きを検出する傾斜センサを搭載し、メディアコンテンツを再生する機能を有する携帯端末装置において、
前記傾斜センサの検出出力に基づいて前記メディアコンテンツの再生態様を制御する制御手段を有することを特徴とする携帯端末装置。
【請求項６】
前記制御手段は、前記傾斜センサの検出出力に基づいて取得した前記携帯端末装置の筐体の傾き角に基づいて前記メディアコンテンツの早送りまたは巻戻しと、チャプタースキップまたはチャプターバックとを区別するように再生制御を行うことを特徴とする請求項５に記載の携帯端末装置。
【請求項７】
前記傾斜センサは、磁界の強度を検出して携帯端末装置の方位を求める地磁気センサであることを特徴とする請求項５または６のいずれかに記載の携帯端末装置。
【請求項８】
前記メディアコンテンツは、動画または音楽であることを特徴とする請求項５乃至７のいずれかに記載の携帯端末装置。
【発明の詳細な説明】
【技術分野】
【０００１】
本発明は、メディアコンテンツの再生機能を有する携帯端末装置及びその制御方法に関する。
【背景技術】
【０００２】
メディアコンテンツの再生機能を有する従来の携帯端末装置において、メディアコンテンツの再生制御は、ユーザが入力部のキー操作を行うことにより実行させることが常識的である。
この場合、メディアコンテンツの再生を行うのにいちいちキー操作を行わなければならず、また、メディアコンテンツの早送り、または巻戻しを継続して行うときは、キーを押し続ける必要があり、操作が煩雑であるという問題が有った。
【０００３】
また、キー操作をすることなく、着信が有った後、携帯電話装置本体が一定角度以上の傾きになった状態を検知すると、オフフック動作をする携帯電話装置が提案されている（特許文献１参照）。
【特許文献１】特開２００３−１９８６７０号公報
【発明の開示】
【発明が解決しようとする課題】
【０００４】
しかしながら、特許文献１に示す携帯電話装置にあっては、メディアコンテンツの再生制御に関しては、キー操作を行わずに制御できるように構成されておらず、それ故メディアコンテンツの再生制御をすることができないという問題が有った。
【０００５】
本発明は、このような事情に鑑みてなされたものであり、メディアコンテンツの再生制御を、キー操作をすることなく行うことができる携帯端末装置及びその制御方法を提供することを目的とする。
【課題を解決するための手段】
【０００６】
上記目的を達成するために請求項１に記載の発明は、筐体の傾きを検出する傾斜センサを搭載し、メディアコンテンツを再生する機能を有する携帯端末装置の制御方法において、前記傾斜センサの検出出力に基づいて前記メディアコンテンツの再生態様を制御することを特徴とする。
【０００７】
また、請求項２に記載の発明は、請求項１に記載の携帯端末装置の制御方法において、前記傾斜センサの検出出力に基づいて取得した前記携帯端末装置の筐体の傾き角に基づいて前記メディアコンテンツの早送りまたは巻戻しと、チャプタースキップまたはチャプターバックとを区別するように再生制御を行うことを特徴とする。
【０００８】
また、請求項３に記載の発明は、請求項１または２のいずれかに記載の携帯端末装置の制御方法において、前記傾斜センサは、磁界の強度を検出して携帯端末装置の方位を求める地磁気センサであることを特徴とする。
【０００９】
また、請求項４に記載の発明は、請求項１乃至３のいずれかに記載の携帯端末装置の制御方法において、前記メディアコンテンツは、動画または音楽であることを特徴とする。
【００１０】
また、請求項５に記載の発明は、筐体の傾きを検出する傾斜センサを搭載し、メディアコンテンツを再生する機能を有する携帯端末装置において、前記傾斜センサの検出出力に基づいて前記メディアコンテンツの再生態様を制御する制御手段を有することを特徴とする。
【００１１】
また、請求項６に記載の発明は、請求項５に記載の携帯端末装置において、前記制御手段は、前記傾斜センサの検出出力に基づいて取得した前記携帯端末装置の筐体の傾き角に基づいて前記メディアコンテンツの早送りまたは巻戻しと、チャプタースキップまたはチャプターバックとを区別するように再生制御を行うことを特徴とする。
【００１２】
また、請求項７に記載の発明は、請求項５または６のいずれかに記載の携帯端末装置において、前記傾斜センサは、磁界の強度を検出して携帯端末装置の方位を求める地磁気センサであることを特徴とする。
【００１３】
また、請求項８に記載の発明は、請求項５乃至７のいずれかに記載の携帯端末装置において、前記メディアコンテンツは、動画または音楽であることを特徴とする。
【発明の効果】
【００１４】
以上説明したように、本発明によれば、キー操作を行うことなく、装置本体（筐体）を傾けるだけでメディアコンテンツの再生制御を行うことができる。
という効果が得られる。
【発明を実施するための最良の形態】
【００１５】
以下、本発明の実施形態を、図面を参照して詳細に説明する。本発明の実施形態では、携帯端末装置として携帯電話装置を例にとり、説明する。図１に本発明の実施形態に係る携帯電話装置の電気的構成を示す。同図において、携帯電話装置１は、各種プログラムを実行することにより電話機、あるいは、ゲーム機、音楽再生機、動画再生機等としての機能を有するように各部の動作を制御するＣＰＵ１００と、各種データ及び固定データが格納されるＲＯＭ１０２と、ＲＡＭ１０４と、操作入力部１０６と、ＧＰＳモジュール１０８と、ＸＹＺ３軸地磁気センサ１１０と、動画再生部１１１と、無線通信部１１２と、音声コーデック（ＣＯＤＥＣ）１１４と、楽曲再生部１１６と、表示部１１８と、インターフェース（Ｉ／Ｆ）１２０と、送話用マイク１２２と、受話用スピーカ１２４と、着信用スピーカ１２６とを有している。
【００１６】
ＲＯＭ１０２には、各種制御プログラムの他に、着信メロディ用の楽曲シーケンスデータ、動画再生のための画像データ等の固定データや、ゲームソフト等のアプリケーションプログラムが記憶されている。
また、ＲＯＭ１０２には携帯電話装置１の筐体（装置本体）の傾きを示すＸＹＺ３軸地磁気センサ１１０の出力とメディアコンテンツの再生制御指示との関係、すなわちＸＹＺ３軸地磁気センサ１１０の出力に対してメディアコンテンツの再生制御指示が割り当てられたテーブルが格納されている。
【００１７】
上記テーブルは、本実施形態では、一例として、図４に示すように、ＸＹＺ３軸地磁気センサ１１０の出力に基づいて取得した携帯電話装置の水平状態での基準位置からの傾斜角及び方向に対して各種再生制御指示が割り当てられている。
具体的には、上記テーブルにおいて、携帯電話装置１が「水平状態で右方向に１５°〜３０°傾斜している場合」は、再生制御指示（再生態様）は「早送り」、「水平状態で右方向に３０°以上傾斜している場合」は「チャプタースキップ」、「水平状態で左方向に１５°〜３０°傾斜している場合」は「巻戻し」、「水平状態で左方向に３０°以上傾斜している場合」は「チャプターバック」、「水平状態で左右方向に１５°以下傾斜している場合」は「上記各制御（早送り、チャプタースキップ巻戻し、巻戻し、チャプターバック）を中止」の各再生制御指示が割り当てられている。
【００１８】
ここで、「上記各制御（早送り、チャプタースキップ巻戻し、巻戻し、チャプターバック）を中止」は、通常の再生動作を行うことを意味している。
なお、上記テーブルはＲＯＭ１０２の代わりにＲＡＭ１０４に格納するようにしてもよい。
また、ＲＡＭ１０４には、インターネット等のネットワークを介してダウンロードした動画データを含む各種データ、またはインターフェース１２０を介して外部のオーディオ機器から取り込んだ楽曲データが格納されるようになっている。
【００１９】
操作入力部１０６は、通話を開始する際に使用する開始キー、通話を終了する終了キー、数字キー、各種機能キー、電源キー等から構成されている。
ＧＰＳモジュール１０８は、所定時間毎に、複数（３個以上）のＧＰＳ衛星からの位置測定用の電波を受信し、そのデータをＧＰＳ基地局に送信し、ＧＰＳ基地局から測位演算結果を受信してＲＡＭ１０４の所定のメモリエリアに格納し、更新する機能を有している。この測位演算結果は、現在地の地図を表示するためなどに用いられる。
【００２０】
ＸＹＺ３軸地磁気センサ１１０は、自局の方位を検出するセンサであり、互いに直交するＸ軸、Ｙ軸、Ｚ軸いおける各々の軸方向の磁場の強さを検出し、その強さの変化を電圧変化として出力するものである。ＸＹＺ３軸地磁気センサ１１０は通常は、方位計測用センサとして機能し、例えば、表示した現在地の地図を適切な向きにして表示するためなどに使われるが、携帯電話装置１をメディアコンテンツの再生機として使用する動作モードにおいては、携帯電話装置１の筐体の傾きを検出する傾斜センサとして機能する。
【００２１】
ＸＹＺ３軸地磁気センサ１１０の具体的構成を図２に示す。ＸＹＺ３軸地磁気センサ１１０は、磁界のＸ軸方向成分を検出するＸ軸センサ１１００、磁界のＹ軸方向成分を検出するＹ軸センサ１１０１、磁界のＺ軸方向成分を検出するＺ軸センサ１１０２と、Ｘ軸センサ１１００、Ｙ軸センサ１１０１、Ｚ軸センサ１１０２の各出力を切り換える切換手段１１０３と、増幅器１１０４と、Ａ／Ｄ変換器１１０５と、インターフェース（Ｉ／Ｆ）１１０６とを有している。
【００２２】
Ｘ軸センサ１１００、Ｙ軸センサ１１０１、Ｚ軸センサ１１０２は、例えば、ＧＭＲ素子（巨大磁気抵抗効果素子）からなるセンサであり、例えば、Ｘ軸センサ１１００の出力は、Ｘ軸方向の外部磁界（磁場）の成分に応じた値（ほぼ比例した値）を示すようになっている。同様にＹ軸センサ１１０１は、Ｙ軸方向の外部磁界の成分に応じた値（ほぼ比例した値）を示し、Ｚ軸センサ１１０２は、Ｚ軸方向の外部磁界の成分に応じた値（ほぼ比例した値）を示すようになっている。
【００２３】
Ｘ軸センサ１１００、Ｙ軸センサ１１０１、Ｚ軸センサ１１０２の各出力Ｓx，Ｓy，Ｓzは切換手段１１０３により選択された後、増幅器１１０４により所定のレベルまで増幅され、Ａ／Ｄ変換器１１０５によりディジタル信号（出力データ）に変換され、インターフェース（Ｉ／Ｆ）１１０６を介してバス９０上に出力される。携帯電話装置１の姿勢（傾き）変わることにより、地磁気センサの各軸の磁界成分は変化する。したがって、地磁気センサの出力によって携帯電話装置１の姿勢（傾き）が検出される。
本実施形態に係る携帯電話装置１では、ＸＹＺ３軸地磁気センサ１１０の出力を、例えば、所定時間毎に検出し、その出力データをＲＡＭ１０４の所定のメモリエリアに格納し、更新する機能を有している。
【００２４】
動画再生部１１１は、ＣＰＵ１００の制御下にＲＯＭ１０２またはＲＡＭ１０４から読み出した画像データを再生し、表示部１１８に出力する機能を有している。
ＣＰＵ１００は、携帯電話装置１で動画や音楽等のメディアコンテンツを再生する際に、ＸＹＺ３軸地磁気センサ１１０の出力に基づいて携帯電話装置１の傾き（傾き角）の演算を行い、携帯電話装置１の傾き（水平方向における）に基づいて再生制御を行う。
【００２５】
無線通信部１１２は、アンテナ２０を介して受信する信号を復調し、外部に送信する信号を変調してアンテナ２０を介して送信する。
音声ＣＯＤＥＣ １１４は、無線通信部１１２から受け取った音声信号を復号して受話用スピーカ１２４に出力し、送話用マイク１２２から入力された音声信号を圧縮符号化して無線通信部２０に送出する。
【００２６】
楽曲再生部１１６は、ＲＯＭ１０２またはＲＡＭ１０４に格納された楽曲シーケンスデータに基づいて着信時に着信を報知する着信メロディとしての楽曲を再生して着信用スピーカ１２６に出力する。または、ユーザの操作に基づいて楽曲を再生する。
表示部１１８は、各種データを表示する、例えば、液晶ディスプレイ（ＬＣＤ）である。インターフェース（Ｉ／Ｆ）１２０の入力端は、図示してない入力端子に接続されており、該入力端子を介して外部のオーディオ機器やパーソナルコンピュータなどと接続して所望の楽曲データや動画データをＲＡＭ１０４に格納することができるようになっている。
【００２７】
ＣＰＵ１００、ＲＯＭ１０２、ＲＡＭ１０４、操作入力部１０６、ＧＰＳモジュール１０８、ＸＹＺ３軸地磁気センサ１１０、無線通信部１１２、音声ＣＯＤＥＣ １１４、楽曲再生部１１６、表示部１１８及びインターフェース（Ｉ／Ｆ）１２０は、バス９０を介して相互に接続されている。
なお、ＸＹＺ３軸地磁気センサ１１０は本発明の傾斜センサに、ＣＰＵ１００は発明の制御手段に、それぞれ相当する。
【００２８】
上記構成からなる携帯電話装置１の再生制御時の動作を図３のフローチャートを参照して説明する。ＲＯＭ１０２に格納されているメディアコンテンツの再生制御機能を実現するためのプログラムが起動されると、傾斜センサとしてのＸＹＺ３軸地磁気センサ１１０の検出出力を取り込み、ＲＡＭ１０４の所定のメモリエリアに格納する（ステップ２００）。
【００２９】
次いで、ＸＹＺ３軸地磁気センサ１１０の検出出力に基づいて算出された携帯電話装置１の筐体の傾斜角が、ＲＯＭ１０２に格納された、ＸＹＺ３軸地磁気センサ１１０の検出出力（携帯電話装置１の筐体の水平方向の傾斜角及び方向）と再生制御指示との関係を示すテーブルを参照し、上記テーブルにあるいずれかの傾斜角範囲に合致したか否かを判定する（ステップ２０１）。
【００３０】
ＸＹＺ３軸地磁気センサ１１０の検出出力に基づいて算出された携帯電話装置１の筐体の傾斜角が、上記テーブルにあるいずれかの傾斜角範囲に合致した場合には、上記テーブルにおいて、合致した携帯電話装置１の筐体の傾斜角に割り当てられた再生制御指示に基づいて動画もしくは楽曲等のメディアコンテンツの再生制御を実行する（２０２）。
【００３１】
例えば、ＸＹＺ３軸地磁気センサ１１０の検出出力に基づいて算出された携帯電話装置１の筐体の傾斜角が、携帯電話装置１を水平に置いた状態で、基準位置から右方向への傾斜角が１５°〜３０°の範囲内の角度である場合には、図４のテーブルから再生制御指示は「早送り」であるから、例えば、再生するメディアコンテンツが動画である場合には、ＲＯＭ１０２またはＲＡＭ１０４から選択的に読み出された動画コンテンツの画像データの早送りを行うように動画再生部１１１を制御する。
【００３２】
また、ＸＹＺ３軸地磁気センサ１１０の検出出力に基づいて算出された携帯電話装置１の筐体の傾斜角が携帯電話装置１を水平に置いた状態で、基準位置から右方向への傾斜角が３０°以上の角度である場合には、図４のテーブルから再生制御指示は「チャプタースキップ」であるから、再生するメディアコンテンツが動画である場合には、動画コンテンツのタイトルのリストを表示部１１８の画面上に表示し、所望の動画のコンテンツが有るか否かを表示部で確認できる状態で、再生対象となる動画コンテンツのタイトルをスキップさせながら選択可能な状態に制御する。
【００３３】
また、ＸＹＺ３軸地磁気センサ１１０の検出出力に基づいて算出された携帯電話装置１の筐体の傾斜角が、携帯電話装置１を水平に置いた状態で、基準位置から左方向への傾斜角が１５°〜３０°の範囲内の角度である場合には、図４のテーブルから再生制御指示は「巻戻し」であるから、再生するメディアコンテンツが動画である場合には、ＲＯＭ１０２またはＲＡＭ１０４から選択的に読み出された動画コンテンツの画像データの巻戻しを行うように動画再生部１１１を制御する。
【００３４】
また、ＸＹＺ３軸地磁気センサ１１０の検出出力に基づいて算出された携帯電話装置１の筐体の傾斜角が携帯電話装置１を水平に置いた状態で、基準位置から左方向への傾斜角が３０°以上の角度である場合には、図４のテーブルから再生制御指示は「チャプターバック」であるから、再生するメディアコンテンツが動画である場合には、動画コンテンツのタイトルのリストを表示部１１８の画面上に表示し、所望の動画のコンテンツが有るか否かを表示部で確認できる状態で、再生対象となる動画コンテンツのタイトルを戻しながら選択可能な状態に制御する。
【００３５】
また、ＸＹＺ３軸地磁気センサ１１０の検出出力に基づいて算出された携帯電話装置１の筐体の傾斜角が携帯電話装置１を水平に置いた状態で、基準位置から左右方向への傾斜角が１５°以下の角度である場合には、図４のテーブルから再生制御指示は「上記制御を中止」であるから、再生するメディアコンテンツが動画である場合には、すでに選択されている動画コンテンツの再生を行う。
なお、上記例では、メディアコンテンツが動画の場合について説明したが、メディアコンテンツが楽音の場合も同様である。
【００３６】
上述した、ＸＹＺ３軸地磁気センサ１１０の検出出力に基づいて携帯電話装置１の傾斜角に応じてメディアコンテンツの再生制御を行う機能について、その機能が働くための制限（条件）を設けるようにしてもよい。例えば、操作入力部１０６の特定のキーを押しつづけた状態のとき、あるいは特定の状況にあるときのみ上記機能を働かせるようにしてもよい。
また、上記テーブルはユーザがその内容を変更できるようにしてもよい。
【００３７】
以上に説明したように、本実施形態に係る携帯端末装置及びその制御方法によれば、筐体の傾きを検出する傾斜センサを搭載し、メディアコンテンツを再生する機能を有する携帯端末装置の制御方法において、前記傾斜センサの検出出力に基づいて前記メディアコンテンツの再生態様を制御するようにしたので、メディアコンテンツの再生制御を、キー操作をすることなく行うことができる。
また、携帯電話装置等の携帯端末装置では、地磁気センサ等の傾斜センサは、多くのモデルに搭載されることが予想されるため、あらたに、メディアコンテンツの再生制御用のセンサを搭載する必要がない、という効果も得られる。
【図面の簡単な説明】
【００３８】
【図１】本発明の実施形態に係る携帯電話装置の電気的構成を示すブロック図。
【図２】図１に示した携帯電話装置に搭載されたＸＹＺ３軸地磁気センサの具体的構成を示すブロック図。
【図３】図１に示した携帯電話装置のメディアコンテンツの再生機としての動作を示すフローチャート。
【図４】図１に示した携帯電話装置の筐体の傾斜角とメディアコンテンツの再生制御指示との関係を示すテーブルの具体例を示す説明図。
【符号の説明】
【００３９】
１…携帯電話装置、１００…ＣＰＵ（制御手段）、１０２…ＲＯＭ、１０４…ＲＡＭ、１０６…操作入力部、１０８…ＧＰＳもジュール、１１０…ＸＹＺ３軸地磁気センサ（傾斜センサ）、１１１…動画再生部、１１２…無線通信部、１１４…音声ＣＯＤＥＣ、１１６…楽音再生部、１１８…表示部、１２０…インターフェース（Ｉ／Ｆ）、１２２…送話用マイク、１２４…受話用スピーカ、１２６…着信用スピーカ
【図１】
2006148773.tif 000003
【図２】
2006148773.tif 000004
【図３】
2006148773.tif 000005
【図４】
2006148773.tif 000006